(57)【要約】【課題】本発明は、模様部の一部をゴム糸により摘んで模様部のスカラに一定のウエーブ（横ウエーブ）を備えさせるとともに、縫代部が縮んだ状態で縦ウエーブに横ウエーブが加味され、ファッション性を向上させることのできるようにしたトーションレース地を提供する。【解決手段】本願トーションレース地１は、模様部２と縫代部３とを並走させて編成し、縫代部３に編成方向に沿ってム糸４を挿入し、該ゴム糸４又は他のゴム糸５を適所毎に模様部２に編み込み５′し、頂点Ｐで折り返し５″して元の位置に戻るようにする。これにより模様部２に縦ウエーブが作られるとともに、横ウエーブが作られる。また、模様部２はこれを２層として断面Ｙ型状に編成することもある。【選択図】図２
2010185152.tif 000002
【特許請求の範囲】
【請求項１】
模様部と縫代部とを並走させて編成してなり、前記縫代部に編成方向に沿ってゴム糸を挿入し、該ゴム糸を適所ごとに模様部に編み込み戻すことを特徴とするトーションレース地。
【請求項２】
２層の模様部と縫代部とを並走させて断面Ｙ型状に編成してなり、前記縫代部に編成方向に沿ってゴム糸を挿入し、該ゴム糸を適所ごとに各層の模様部に編み込み戻すことを特徴とするトーションレース地
【請求項３】
前記模様部に編み込み戻すゴム糸が、前記縫代部に挿入したゴム糸と別個であることを特徴とする請求項１又は２に記載のトーションレース地
【発明の詳細な説明】
【技術分野】
【０００１】
本発明は、模様部の端縁（スカラ）に一定のウエーブを備えさせたファッション性の高いトーションレース地に関するものである。
【背景技術】
【０００２】
一般に、トーションレース機は環状に配したロータメタルが回転（１８０度の自転）しつつ円周に沿ってシューを移送（公転）させ、該シューに搭載したボビンから引き出した糸を、環状中心に備えた円筒部に集めて筬打ちして円筒状のレースを作り出し、筬打ち後に順次、挟圧ローラを通して扁平に巻取ドラムに巻き取るようになっている。
【０００３】
上記トーションレース機において、捨て糸を使って円筒状に編み、機械から外した後、捨て糸を抜いて帯状のトーションレース地に編むことがあり、その場合、模様部と縫代部とを並走させて編成し、該縫代部を衣類の袖口や裾縁に縫い付けて衣類をきれいに飾ることがある。また、模様部に並走させた縫代部にゴム糸を挿入し、機械から外して緊張を解除すると、縫代部がゴム糸の力で縮まることにより模様部に一定の波うち効果が付与できるようにすることもある。
【発明の開示】
【発明が解決しようとする課題】
【０００４】
しかしながら、縫代部に単にゴム糸を挿入しただけでは、模様部が単に波打つだけで、その端縁（スカラ）に一定のウエーブを与えることができなかった。すなわち、模様部に高い美麗さを与えることには充分でなかった。また、縫代部のみにゴム糸を挿入したトーションレース地は、縮んだ状態では縦ウエーブができるが、ファッション性には限界があった。
【０００５】
本発明は、上記の点に鑑み案出したもので、その目的とするところは、模様部の一部をゴム糸により摘んで模様部の端縁（スカラ）に一定のウエーブ（横ウエーブ）を備えさせるとともに、縫代部が縮んだ状態で縦ウエーブに横ウエーブが加味され、ファッション性を更に向上させることができるようにしたトーションレース地を提供することにある。
【課題を解決するための手段】
【０００６】
上記目的を達成するため、本発明に係るトーションレース地は、模様部と縫代部とを並走させて編成してなり、前記縫代部に編成方向に沿ってゴム糸を挿入し、該ゴム糸を適所ごとに模様部に編み込み戻すことを特徴とし、模様部の一部をゴム糸により摘んで模様部の端縁（スカラ）に一定のウエーブが与えられるように構成した。
【０００７】
また、請求項２に記載の発明に係るトーションレース地は、２層の模様部と縫代部とを並走させて断面Ｙ型状に編成してなり、前記縫代部に編成方向に沿ってゴム糸を挿入し、該ゴム糸を適所ごとに各層の模様部に編み込み戻すことを特徴とし、各層の模様部の一部をゴム糸により摘んで模様部の端縁（スカラ）に一定のウエーブが与えられると同時に、各層の模様部が同期しない波うちにより密接しない状態で重なるように構成した。
【０００８】
さらに、請求項３に記載の発明に係るトーションレース地は、前記模様部に編み込み戻すゴム糸が、前記縫代部に挿入したゴム糸と別個であることを特徴とし、模様部の摘みによるスカラのウエーブと、縫代部の縮みによる波うち効果とのゴム糸に生ずる役目を分担させるように構成した。
【発明の効果】
【０００９】
本発明に係るトーションレース地は、模様部と縫代部とを並走させて編成してなり、前記縫代部に編成方向に沿ってゴム糸を挿入し、該ゴム糸を適所ごとに模様部に編み込み戻すことを特徴としているから、模様部の一部をゴム糸の戻り力により摘み部を作るから、模様部の端縁（スカラ）に一定のウエーブが与えられるとともに、縦ウエーブに横ウエーブが加味され、ファッション性をより高くするという優れた効果を奏するものである。
【００１０】
また、請求項２に係るトーションレース地は、２層の模様部と縫代部とを並走させて断面Ｙ型に編成してなり、前記縫代部に編成方向に沿ってゴム糸を挿入し、該ゴム糸を適所ごとに各層の模様部に編み込み戻すことを特徴としているから、各層の模様部の一部がゴム糸により摘まれ、模様部の端縁（スカラ）に一定のウエーブが与えられると同時に、各層の模様部が同期しない波うちが生じ、互いに密接しない状態で重なるので、ファッション性をさらに高くなるという優れた効果を奏するものである。
【００１１】
さらに、請求項３に係るトーションレース地は、前記模様部に編み込み戻すゴム糸が、前記縫代部に挿入したゴム糸と別個であることを特徴としているから、模様部の摘みによるスカラのウエーブと、縫代部の縮みによる波うち効果とのゴム糸に生ずる役目が分担され、それぞれ太さやパワーの異なるゴム糸を使用することにより意外性のある模様や形態が形成できるという優れた効果を奏するものである。
【発明を実施するための最良の形態】
【００１２】
次に、本発明の実施の態様を添付図面に基づいて説明する。図１は本願トーションレース地の緊張時の略示的平面図、図２は本願トーションレース地の緊張解除時の略示的斜視図、図３は断面Ｙ型の本願トーションレース地の略示的斜視図である。
【００１３】
本願トーションレース地１は、図１の如く、模様部２と縫代部３とを並走させて編成してなる。この場合、トーションレース機のボビン数によっては模様部２と縫代部３を捨て糸（図示せず）を使って円筒状に編むことも、また、模様部２と縫代部３を一組とし、捨て糸（図示せず）を使って複数組を円筒状に編むことも可能である。
【００１４】
前記本願トーションレース地１は、前記縫代部３にその編成方向に沿って３本のゴム糸（太い実線で示す）４を挿入（１本の線で示すが各２本で構成されている）し、該ゴム糸４のうち、模様部寄りの一本のゴム糸（細い実線で示す）４に並走したゴム糸５は、適所毎に模様部２に編み込み５′し、頂点Ｐで折り返し５″して元の位置に戻されている。
【００１５】
前記縫代部３に編み込まれるゴム糸４は、トーションレース機からレース地を降ろして緊張を解除したときに、該縫代部３をその編成方向に縮めるために機能し、また、前記模様部２に編み込まれるゴム糸５は、図２の如く、上述の如く緊張を解除したときに、模様部２を幅方向に縮め、摘み部６を作るために機能する。その摘み部６を作られた模様部２の端縁（スカラ）２′には凹状部７が作られるから全体としてウエーブとなる。
【００１６】
前記縫代部３に並走させた模様部２を、図３の如く、２層（３層以上であってもよい）として断面Ｙ型状に編成することもある。かかる場合には、前記縫代部３に編成方向に沿って挿入したゴム糸４に並走させたゴム糸５を適所ごとに各層の模様部２に位置をずらして編み込み、かつ戻すと、各層の模様部２にそれぞれ摘み部６を形成することとなり、前記模様部２の端縁（スカラ）２′にはそれぞれ凹状部７が作られ、かつウエーブが与えられると同時に、各層の模様部２に同期しない波うち効果を生じさせ、互いに密接しない状態で重なるから高いファッション性が得られるようになる。
【００１７】
前記模様部２に編み込み５′し、頂点Ｐで折り返し５″して元の位置に戻したゴム糸５は、その頂点Ｐが同高であり、等間隔ａになっていると、模様部２の端縁（スカラ）２′に作られる凹状部７の位置と沈み込み量が揃うことになってより高い美麗さを生じさせることとなる。
【００１８】
前記模様部２と縫代部３は、環状に配したロータメタルの回転とシューの公転によりシューに搭載したボビンから引き出した斜行糸で編成されているもので、その組織は自由に設定でき、図１の例はその組織の一例であり、簡略して示したものである。
【００１９】
なお、前記縫代部３を縮ませて模様部２に波うち効果を付与する役目を果たすゴム糸４と、前記模様部２に摘み部６を作る役目を果たすゴム糸５は、同じゴム糸で両方の役目を果たさせても、別個のゴム糸でそれぞれの役目を果たさせてもよい。また、縫代部３に挿入したゴム糸が撚り合わせた２本のうちの１本を模様部２の摘み部６を作るように使うこともある。更に、ゴム糸４と５を別個の糸で構成する場合も、それぞれ太さやパワーを同じにしても異ならせてもよい。
【００２０】
前記ゴム糸４および５としては、伸縮性を有するものであればよい。
【産業上の利用可能性】
【００２１】
本願トーションレース地１は、縫代部に並走させた模様部のスカラに一定のウエーブを備えさせる。しかも、模様部を２層以上にするときは、スカラのウエーブ性はもとより重なり部が互いに密接しないためにファッション性が向上し、衣服の袖口や裾などを綺麗に華やかに飾ることができ、しかも、縫製作業がしやすく、産業上の利用可能性は極めて高いものである。
【図面の簡単な説明】
【００２２】
【図１】本願トーションレース地の緊張時の略示的平面図である。
【図２】本願トーションレース地の緊張解除時の略示的斜視図である。
【図３】断面Ｙ型の本願トーションレース地の略示的斜視図である。
【符号の説明】
【００２３】
１  本願トーションレース地
２  模様部
２′  端縁（スカラ）
３  縫代部
４  ゴム糸（太い実線）
５  ゴム糸（細い実線）
５′  編み込み
５″  折り返し
６  摘み部
７  スカラの凹状部
【図１】
2010185152.tif 000003
【図２】
2010185152.tif 000004
【図３】
2010185152.tif 000005